(57)【要約】【課題】ホストサーバへの負荷を軽減する、データ処理システム及びデータ処理方法を提供する。【解決手段】データ処理システム１は、処理対象のデータを送信する端末装置１００と、前記端末装置１００が送信した前記データをネットワーク２００を介して取得し、取得した前記データを記憶部４００に記録し、前記記憶部４００を監視して前記記憶部４００に記録した前記データを取得して処理するデータ処理部３００と、を備えることを特徴とする。【選択図】図２
2010238173.tif 000002
【特許請求の範囲】
【請求項１】
処理対象のデータを送信する端末装置と、
前記端末装置が送信した前記データをネットワークを介して取得し、取得した前記データを記憶部に記録し、前記記憶部を監視して前記記憶部に記録した前記データを取得して処理するデータ処理部と、
を備えることを特徴とするデータ処理システム。
【請求項２】
前記データ処理部は、前記データを処理した処理結果を前記記憶部に記録し、
前記端末装置は、前記記憶部を監視し、前記記憶部に記録した前記処理結果を取得することを特徴とする請求項１に記載のデータ処理システム。
【請求項３】
前記データ処理部は、前記データが処理の対象外のデータである場合に、処理を中止することを特徴とする請求項１又は２に記載のデータ処理システム。
【請求項４】
前記データ処理部は、優先度の高い前記データから扱うことを特徴とする請求項１乃至３のいずれか１項に記載のデータ処理システム。
【請求項５】
前記データ処理部は、中継サーバと、後送サーバと、データ処理サーバと、を備え、
前記中継サーバは前記データ処理サーバと通信可能であり、
前記後送サーバは、前記記憶部を監視して前記データを前記記憶部から取得し、取得した前記データを前記中継サーバを介して前記データ処理サーバに供給し、
前記データ処理サーバは、供給された前記データを処理する、
ことを特徴とする請求項１乃至４のいずれか１項に記載のデータ処理システム。
【請求項６】
前記中継サーバは、前記端末装置が送信した前記データを前記ネットワークを介して取得し、取得した前記データを前記記憶部に記録することを特徴とする請求項１乃至５のいずれか１項に記載のデータ処理システム。
【請求項７】
端末装置が送信した処理対象のデータをネットワークを介して取得し、取得した前記データを記憶部に記録し、前記記憶部を監視して前記記憶部に記録した前記データを取得して処理するデータ処理部、
を備えることを特徴とするデータ処理システム。
【請求項８】
端末装置が処理対象のデータを送信するステップと、
データ処理部が行う、前記端末装置が送信した前記データをネットワークを介して取得し、取得した前記データを記憶部に記録し、前記記憶部を監視して前記記憶部に記録した前記データを取得して処理するデータ処理ステップと、
を備えることを特徴とするデータ処理方法。
【発明の詳細な説明】
【技術分野】
【０００１】
本発明は、データ処理システム及びデータ処理方法に関する。
【背景技術】
【０００２】
この種の技術として、例えば特許文献１には、「端末とホストコンピュータとが接続されるネットワークシステムにおいて、前記端末は、前記端末がオンライン取引を行なうことができる状態か否かということを示すオフラインモードを、前記端末の内部記憶部に格納される宣言モードを更新することで設定又は解除するオフラインモードの設定／解除手段と、前記更新された宣言モードに従って、オンライン取引の問合せ要求を示す電文を、前記ホストコンピュータに送信するか、又は前記端末に接続される外部記憶媒体に蓄積するかを判断する問合せ取引制御手段と、前記外部記憶媒体に記憶された前記問合せ要求を示す電文を、前記ホストコンピュータに自動後送する一括自動後送手段と、を備えることを特徴とするネットワークシステム」が開示されている。
【０００３】
上記特許文献１に記載されたネットワークシステムは、一般に、オンライントランザクションシステムといわれるものの一形態である。オンライントランザクションシステムは、ネットワークに接続された複数の端末がホストサーバに処理対象のデータを送信し、ホストサーバがデータを処理し処理結果を端末に送り返すデータ処理システムである（例えば、特許文献１）。
【先行技術文献】
【特許文献】
【０００４】
【特許文献１】特開２００６−７９５３０号公報
【発明の概要】
【発明が解決しようとする課題】
【０００５】
特許文献１に記載の技術では、端末が、処理対象のデータをホストサーバに直接送信するので、ホストサーバが受信するデータが多量になった場合等にホストサーバへの負荷が大きくなってしまっていた。
【０００６】
本発明は、上記実情に鑑みてなされたものであり、ホストサーバへの負荷を軽減する、データ処理システム及びデータ処理方法を提供することを目的とする。
【課題を解決するための手段】
【０００７】
上記目的を達成するため、本発明の第１の観点に係るデータ処理システムは、
処理対象のデータを送信する端末装置と、
前記端末装置が送信した前記データをネットワークを介して取得し、取得した前記データを記憶部に記録し、前記記憶部を監視して前記記憶部に記録した前記データを取得して処理するデータ処理部と、
を備えることを特徴とする。
【０００８】
上記目的を達成するため、本発明の第２の観点に係るデータ処理システムは、
端末装置が送信した処理対象のデータをネットワークを介して取得し、取得した前記データを記憶部に記録し、前記記憶部を監視して前記記憶部に記録した前記データを取得して処理するデータ処理部、
を備えることを特徴とする。
【０００９】
上記目的を達成するため、本発明の第３の観点に係るデータ処理方法は、
端末装置が処理対象のデータを送信するステップと、
データ処理部が行う、前記端末装置が送信した前記データをネットワークを介して取得し、取得した前記データを記憶部に記録し、前記記憶部を監視して前記記憶部に記録した前記データを取得して処理するデータ処理ステップと、
を備えることを特徴とする。
【発明の効果】
【００１０】
本発明によれば、ホストサーバへの負荷を軽減することができる。
【図面の簡単な説明】
【００１１】
【図１】本発明の一実施形態に係るデータ処理システムの構成図である。
【図２】本発明の一実施形態に係るデータ処理システムのハードウェア構成図である。
【図３】本発明の一実施形態に係るデータ処理システムが行う記録処理を示すフローチャートである。
【図４】本発明の一実施形態に係るデータ処理システムが生成する後送データの一例を示す図である。
【図５】本発明の一実施形態に係るデータ処理システムが生成する後送データベースの一例を示す図である。
【図６】本発明の一実施形態に係るデータ処理システムが行うデータ処理を示すフローチャートである。
【図７】本発明の一実施形態に係るデータ処理システムが行う結果取得処理を示すフローチャートである。
【発明を実施するための形態】
【００１２】
以下、この発明の実施の形態について、図面を参照しながら詳細に説明する。なお、本発明は下記の実施形態及び図面によって限定されるものではない。本発明の要旨を変更しない範囲で下記の実施形態及び図面に変更を加えることが出来るのはもちろんである。また、図中同一または相当部分には同一符号を付す。
【００１３】
図１のように、データ処理システム１は、端末装置１００と、データ処理部３００と、を備える。データ処理部３００は、端末装置１００とネットワーク２００（例えばインターネット）を介して通信可能である。データ処理部３００は、記憶部４００を備える。
【００１４】
なお、図１において、端末装置１００は一つであるが、端末装置１００は通常複数ある。端末装置１００は、コンピュータ等によって構成される。データ処理部３００は、一以上のサーバ等によって構成される。サーバは一以上のコンピュータによって構成される。記憶部４００は、例えば、データ処理部３００が備えるサーバ等の記憶装置によって構成される。記憶部４００は、データ処理部３００がアクセス可能であれば良く、その機能の一部をデータ処理部３００の外部（外部のサーバ等）に設けても良い。なお、上記で説明したデータ処理システムの各コンピュータは、プログラムによって動作する。また、各コンピュータは、下記の処理をプログラムの指令に基づき行う。
【００１５】
本実施形態において、データ処理システム１は、オンライントランザクションシステムである。
【００１６】
本実施形態では、端末装置１００は、処理対象のデータを送信する。また、データ処理部３００は、端末装置１００が送信したデータをネットワーク２００を介して取得し、取得したデータを記憶部４００に記録し、記憶部４００を監視して記憶部４００に記録したデータを取得して処理する。このように、データ処理部３００は、記憶部４００を監視して記憶部４００に記録したデータを取得して処理するので、データを記憶部４００に一時留まらせることができる。このため、データがデータ処理部３００内のデータを処理する部分（つまりはホストサーバ）に直接供給されないので、データが多量になった場合等でも、ホストサーバへの負荷の増加を軽減できる。このように、本実施形態に係るデータ処理システム１は、ホストサーバへの負荷を軽減することができる。また、端末装置１００が行う処理と、データ処理部３００が行う処理とが互いに独立しているため、データ処理部３００がデータを処理する間に、端末装置１００が動いている必要もなく、また、端末装置１００は他の処理もできる。
【００１７】
なお、データ処理部３００は、取得したデータを他の装置に供給し、他の装置に前記データを記憶部４００に記録させることによって、前記データを記憶部４００に記録してもよい。
【００１８】
図２を参照して、データ処理システム１の構成を詳細に説明する。
【００１９】
端末装置１００は、ユーザが操作するものである。図２において、端末装置１００は一つであるが、端末装置１００は通常複数ある。端末装置１００は、処理対象のデータを送信する。
【００２０】
データ処理部３００は、中継サーバ３１０と、後送サーバ３２０と、データ処理サーバ３３０と、データ記録サーバ３４０と、を備える。なお、データ記録サーバ３４０は、外部にあってもよい。また、記憶部４００は、後送サーバ３２０が備えてもよい。
【００２１】
中継サーバ３１０は、後送サーバ３２０、データ処理サーバ３３０、及び、データ記録サーバ３４０と通信可能であり、各サーバ間の通信を中継する。また、中継サーバ３１０は、ネットワーク２００を介して端末装置１００とも通信可能である。中継サーバ３１０は、端末装置１００と、後送サーバ３２０、データ処理サーバ３３０、及び、データ記録サーバ３４０との通信も必要に応じて中継できる。中継サーバ３１０は、例えば、ＳＯＡＰ、ＨＴＴＰユニットを備え、ＷＷＷシステムにおいて情報送信を行なうＷＥＢサーバである。また、中継サーバ３１０は、アプリケーションサーバでもある。
【００２２】
中継サーバ３１０は、端末装置１００が送信したデータをネットワーク２００を介して取得し、取得したデータを記憶部４００に記録する。中継サーバ３１０は、取得したデータを他の装置（ここでは、データ記録サーバ３４０であるが、後送サーバ３２０が記憶部４００を備える場合は後送サーバ３２０）に供給し、この他の装置に前記データを記憶部４００に記録させる。このようにして、中継サーバ３１０は、取得したデータを記憶部４００に記録する。
【００２３】
後送サーバ３２０は、記憶部４００を監視してデータを記憶部４００から取得し、取得したデータを中継サーバ３１０を介してデータ処理サーバ３２０に供給する（後送処理）。なお、後送サーバ３２０が記憶部４００を備える場合、後送サーバ３２０は、記憶部４００を直接監視する。
【００２４】
データ処理サーバ３３０は、例えば、供給されたデータ（後送サーバ３２０から中継サーバ３１０を介して供給されたデータ）を処理する。データ処理サーバ３３０は、所謂ホストサーバである。
【００２５】
データ記録サーバ３４０は、ハードディスク装置等で構成される記憶部４００を備え、種々なデータを記憶するストレージとして機能する。データ記録サーバ３４０は、記憶部４００にデータを記録していくことによって、前記のデータが記憶部４００に記録されることになる。
【００２６】
次に、データ処理システム１が行う処理を詳細に説明する。なお、後送サーバ３２０が記憶部４００を備える場合には、データ記録サーバ３４０が行う処理を後送サーバ３２０が適宜行う。また、下記では、ある日の売り上げ、客数、及び、販売個数等のデータを帳票（データ処理サーバ３００が端末装置１００毎に管理している帳票のデータ）に登録、変更又は削除する処理を端末装置１００がデータ処理サーバに要求する処理について説明するが、データ処理システム１が行う処理及び処理の対象はこれに限られるものではない。例えば、データ処理サーバ３００は、供給されたデータを使用した計算処理又は予測処理、又は、供給されたデータを加工する加工処理等を行うことにより、供給されたデータを処理してもよい。
【００２７】
まず、図３及び図４を参照して、データ処理システム１が行う記録処理を詳細に説明する。
【００２８】
端末装置１００は、処理対象のデータ（以下では、後送データをいう。図４についても同じ。）を取得し、取得した後送データを送信する（ステップＳ１０１）。
【００２９】
ユーザが、端末装置１００が備える入力装置（キーボード、マウス等）を操作して所定の情報を入力していくと、端末装置１００は、入力された情報をもとに後送データを生成することによって、後送データを取得する。
【００３０】
後送データは図４に示すように、所定数（ここでは５つ）のデータ（図４における一行ずつのデータ（データ処理サーバ３００が１回の処理で使用するデータ）。以下では、単位データという。）を含む。端末装置１００は、入力された情報をもとに、単位データを順次生成していく。そして、端末装置１００は、端末装置特定情報が特定する端末装置１００が同じ単位データを所定数集めたものを１ロットとし、１ロット分の単位データを後送データとすることによって、後送データを生成する。ここで、最後尾の単位データには、最後尾である旨の情報が付加される。これによって、ロット（一の後送データ）がどこまでになるのかが分かる。上記のように、後送データが、複数の単位データからなる１ロットのデータである場合、データ処理がし易くなる。
【００３１】
単位データは、図４のように、端末装置１００を特定する端末装置特定情報（端末ＩＤ）のデータと、端末装置１００を使用するユーザを特定するユーザ特定情報（ユーザＩＤ）のデータと、取引番号のデータと、処理種別や処理する情報等を含む処理内容のデータと、を含む。
【００３２】
端末装置特定情報は、例えば、予め端末装置１００に設定された情報であり、端末装置１００が単位データを生成する際に自動で単位データに挿入する。
【００３３】
ユーザ特定情報は、ユーザによって入力される情報であり、例えばユーザの会員ＩＤ等である。
【００３４】
取引番号は、後送データの処理を特定するものであり、この取引番号は、ユーザによって入力されるか、端末装置１００が単位データの生成の際に自動で生成して単位データに挿入する。
【００３５】
処理内容は、処理の種類を特定する処理種別を含む。処理種別は、例えば番号になっており、番号に対応して処理の種類（例えば、登録、削除、又は、変更）が決定されている。また、処理内容は、処理する情報（例えば、ある日の売り上げ、客数、及び、販売個数）も含む。処理内容は、ユーザによって入力される。
【００３６】
なお、端末装置１００は、後送データを予め記録した外部記憶装置又は情報処理装置等から後送データを取得してもよい。
【００３７】
端末装置１００は、取得した後送データを中継サーバ３１０に送信する。中継処理サーバ３１０は、端末装置１００が送信した後送データをネットワーク１００を介して取得し、取得した後送データをデータ記録サーバに送信することによって、後送データを中継する（ステップＳ１０２）。なお、後送データは、単位データ毎に順次送信される。後送データの送信方式については、以下同じである。なお、後送データは適宜処理要求等とともに送信される（以下、同じ）。なお、端末装置特定情報は、処理結果の取得の時に使用されるので、必要に応じて保持しておくことが望ましい。
【００３８】
データ記録サーバ３４０は、中継処理サーバ３１０が送信した後送データを取得し、（処理要求に応じて（以下、後送データの扱いにおいて同じ。））取得した後送データを記憶部４００に記録する（ステップＳ１０３）。なお、データ記録サーバ３４０は、後送データ毎に優先度を付加してもよい。例えば、処理する情報が金融である場合（処理する情報又は処理種別から判別できる。）には、この処理する情報を含む後送データの優先度を高くする。また、端末装置特定情報が特定する端末装置１００又はユーザ特定情報が特定するユーザによって、優先度に軽重をつけてもよい。
【００３９】
上記記録処理は適宜行われることになる。そして、上記処理が繰り返された場合、後送データが記憶部４００に順次記録され、後送データベースが形成される。また、上記のようにして、中継サーバ３１０は、端末装置１００が送信した後送データをネットワーク２００を介して取得し、取得したデータを記憶部４００に記録する。
【００４０】
上記で形成された後送データベースの内容を図５に示す。図５では、後送データは、五つの単位データを１ロットとしたものである（Ｌ１、Ｌ２参照）。データ記録サーバ３４０は、後送データに、ロットを識別するためのＬ１、Ｌ２・・等のロット番号を付与する。これによって、ロットを識別できる。また、単位データを順次取得していく場合、単位データに付加された最後尾である旨の情報によって、ロットを構成する単位データを全て取得したと分かる。
【００４１】
次に図６を参照して、データ処理システム１が行うデータ処理を詳細に説明する。
【００４２】
後送サーバ３２０は、記憶部４００を監視し、後送データを取得する（ステップＳ２０１）。
【００４３】
具体的には、後送サーバ３２０は、データ記録サーバ３４０と通信して、記憶部４００に後送データが記録されているかを定期的（例えば３秒ごと）に監視する。そして、後送サーバ３２０は、記憶部４００に後送データが記録されている場合に、データ記録サーバ３４０から後送データを取得する。
【００４４】
さらに具体的には、後送サーバ３２０は、記憶部４００に記録されたデータの送信要求をデータ記録サーバ３４０に送信する。データ記録サーバ３４０は、後送サーバ３２０が送信した送信要求を取得すると、記憶部４００を調べ、後送データが記憶部４００に記録されているか判別し、記録されている場合は後送サーバ３２０と通信して、後送データを後送サーバ３２０に送信する。記録されていない場合は後送サーバ３２０と通信して、その旨を示すデータを後送サーバ３２０に送信する。
【００４５】
後送サーバ３２０は、後送データを取得するまで、監視を繰り返し行う。なお、データ記録サーバ３４０は、送信した後送データを記憶部４００から削除する。これにより、後送データの重複使用をさけることができる。特に、後送サーバが複数のコンピュータによって構成された場合に有効である。また、後送サーバ３２０が複数の装置で構成される場合には、各装置が同じデータベースを監視しないように各装置は制御される。後送サーバ３２０は、一の単位データを順次取得することによって、後送データを取得する。
【００４６】
後送サーバ３２０は、後送データを中継処理サーバ３１０を介してデータ処理サーバ３３０に送信する（ステップＳ２０２、ステップＳ２０３）。中継処理サーバ３１０は、後送サーバ３２０が送信した後送データを取得し、取得した後送データをデータ処理サーバ３３０に送信することによって、後送データを中継する（ステップＳ２０３）。なお、後送サーバ３２０は、この処理を適宜のタイミングで行うか、中継サーバ３１０を介してデータ処理サーバ３３０を監視してデータ処理サーバ３３０の記憶部に空き（例えば、後送データの容量分の空き）が出来たらこの処理を行う。なお、送信（単位データの送信）が失敗したときには、端末装置１００に処理失敗の旨の情報を中継サーバ３１０を介して送信する。端末装置１００は、処理失敗の旨を表示部に表示し、処理を続行するかユーザに選択させる。ユーザが処理続行を選択した場合には、後送サーバ３２０は処理を続行する（失敗した分については、スキップする。）。ユーザが処理中止を選択した場合には、後送サーバ３２０は処理を中止する（後送データ等は消去される。また、後送サーバ３２０は、中継サーバ３１０を介してデータ処理サーバ３３０にこのステップで送信した単位データを消去させる。）。
【００４７】
なお、後送サーバ３２０は、後送データに優先度が付加されている場合には、優先度が高い後送データを優先して取得又は送信してもよい。このように、データ処理部３００（特に後送サーバ３２０）が優先度の高い後送データから扱うことによって、重要な後送データを効率的かつ優先的に処理することができる。
【００４８】
データ処理サーバ３３０は、後送サーバ３２０が送信した後送データを中継サーバ３１０を介して取得する（ステップＳ２０４）。
【００４９】
データ処理サーバ３３０は、取得した後送データを記憶部（図示せず）に記録する。データ処理サーバ３３０は、所定のタイミングで、記憶部に記録した後送データを取得し、取得した後送データを処理する（ステップＳ２０５）。このとき、データ処理サーバ３３０は、処理種別の番号と処理の種類とを対応付けて記録したテーブルを参照できる。そして、後送データを処理する際に、処理種別の番号から、処理の種類を特定し、特定した処理の種類に基づいて処理を行う。このようにして、処理の種類に応じて、データ（例えば、ある日の売り上げ、客数、及び、販売個数）を処理（例えば、登録、削除、又は、変更）する。
【００５０】
なお、ステップＳ２０５において、後送データの処理内容等が対象外である場合（例えば、ユーザ特定情報が特定するユーザが扱うとは考えられない処理内容が単位データに含まれる場合であり、これは、ユーザ特定情報と処理内容とから把握できる。）、データ処理サーバ３３０は、処理を中断し、中断した旨を示す処理結果のデータを生成する。
【００５１】
後送データの処理内容等が対象外である場合、ユーザが後送データを取り違えている可能性が高いため、処理は中止される。このようにして、データ処理部３００は、後送データが処理の対象外のデータである場合に、処理を中止する。これにより、処理の効率化が図れる。
【００５２】
また、ステップＳ２０５において、後送データの処理内容等が対象ではあるが、データが一部壊れていた場合、その処理をスキップして、その処理を続行する。そして、処理がどこで失敗したかと、成功した処理の数等を明示する情報を含む処理結果のデータを生成する。また、ステップＳ２０５において、データ処理が全て成功した場合には、その旨の情報を適宜含む処理結果のデータを生成する。なお、これらの場合の処理結果は、例えば、単位データの処理結果である単位処理結果のデータが上記のロット分集まったものとなる。単位処理結果のデータには、処理の正否等のデータと、端末装置特定情報のデータとが含まれる。
【００５３】
データ処理サーバ３３０は、生成した処理結果のデータを中継サーバ３１０を介して後送サーバ３２０に送信する（ステップＳ２０６、ステップＳ２０７）。中継処理サーバ３１０は、データ処理サーバ３３０が送信した処理結果のデータを取得し、取得した処理結果のデータを後送サーバ３２０に送信することによって、処理結果を中継する（ステップＳ２０７）。なお、処理結果の送信では、処理要求も適宜送信される（以下、同じ）。また、処理結果は、適宜単位処理結果毎に送信される。送信方式については、以下同じである。
【００５４】
後送サーバ３２０は、データ処理サーバ３３０が送信した処理結果のデータを取得する（ステップＳ２０８）。そして、後送サーバ３２０は、（処理要求に応じて）取得した処理結果のデータを記憶部４００に記録する。具体的には、後送サーバ３２０は、取得した処理結果のデータをデータ記録サーバ３４０に送信し（ステップＳ２０９）、データ記録サーバ３４０は、取得した処理結果のデータを記憶部４００に記録する（ステップＳ２１０）。
【００５５】
最後に、図７を参照して、データ処理システム１が行う結果取得処理を詳細に説明する。
【００５６】
端末装置１００は、定期的に記憶部４００を中継サーバ３１０を介して監視し、記憶部４００から処理結果のデータを中継サーバ３１０を介して取得する（ステップＳ３０１及びステップＳ３０２）。
【００５７】
具体的には、端末装置１００は、端末装置特定情報をキーとして、データ記録サーバ３４０と中継サーバ３１０を介して通信し、記憶部４００に上記端末装置特定情報を含む処理結果のデータが記録されているかを定期的に監視する。そして、後送サーバ３２０は、記憶部４００に上記端末装置特定情報を含む処理結果が記録されている場合に、データ記録サーバ３４０から処理結果のデータを取得する。
【００５８】
さらに具体的には、端末装置１００は、端末装置特定情報をキーとする、記憶部４００に記録されたデータの送信要求をデータ記録サーバ３４０に中継サーバ３１０を介して送信する。データ記録サーバ３４０は、端末装置１００が中継サーバ３１０を介して送信した送信要求を取得すると、記憶部４００を調べ、上記端末装置特定情報を含む処理結果のデータが記憶部４０に記録されているか判別し、記録されている場合は端末装置１００と中継サーバ３１０を介して通信して、処理結果のデータを端末装置１００に送信する。記録されていない場合は端末装置１００と中継サーバ３１０を介して通信して、その旨を示すデータを中継サーバ３１０を介して端末装置１００に送信する。この処理は、処理結果を端末装置１００が取得するまで続けられる。
【００５９】
端末装置１００は、取得した処理結果のデータに基づいて、表示部に処理結果を表示する。
【００６０】
以上で説明した通り、データ処理部３００は、後送データを処理した処理結果を記憶部４００に記録し、端末装置１００は、記憶部４００を監視し、記憶部４００に記録した処理結果を取得するので、処理結果を適宜取得できる。
【００６１】
上記実施形態では、後送データ及び処理結果のデータは、ロット毎のデータになっているが、単位データ等毎に処理されてもよい。また、上記の処理過程の途中（例えばステップＳ２０１、Ｓ２０２、Ｓ２０８、又はＳ２０９）で、後送データ及び処理結果のデータをロット毎のデータとしてもよい。また、処理結果は、正否の数等で表現されることもあり、ロット毎にならない場合もある。
【００６２】
また、ロットに仕分ける基準を、上記では、端末装置特定情報が特定する端末装置が共通するものとしたが、ユーザ特定情報が特定するユーザが同じであるものか、端末装置特定情報が特定する端末装置１００が同じで、かつ、ユーザ特定情報が特定するユーザが同じであるものであってもよい。この場合、前記のキー、端末装置が保持する情報、処理結果が含む情報も上記と同じ情報になる。
【００６３】
端末装置、中継サーバ（端末装置とデータ処理サーバとのやりとりを中継するサーバ）、及び、データ処理サーバを組み合わせたシステム自体は公知である。このため、端末装置は、中継サーバと通信する仕様になっていれば、端末装置の仕様を大幅に変更する必要はない。また、データ処理サーバも、中継サーバと通信する仕様になっていれば、データ処理サーバの仕様を大幅に変更する必要はない。本実施形態においては、新たに追加した構成の後送サーバ３２０とデータ記録サーバ３４０が、中継サーバ３１０と通信するようになっている。このため、端末装置１００からみれば、端末装置１００は、あたかもデータ処理サーバ３３０と通信していることになり、データ処理サーバ３３０からみれば、データ処理サーバ３３０は、あたかも端末装置１００と通信していることになる。
【００６４】
以上のように、本実施形態に係るデータ処理システム１は、大きな仕様変更を行わずに、構築できるシステムになっている。
【００６５】
また、後送データが端末装置識別情報のデータ及び又はユーザ識別情報のデータを含むことにより、データ処理サーバ３３０からみれば、データ処理サーバ３３０は、あたかも端末装置１００と通信していることになる場合もあり、これによっても、実施形態に係るデータ処理システム１は、大きな仕様変更を行わずに、構築できるシステムになっている。
【符号の説明】
【００６６】
１              データ処理システム
１００          端末装置
２００          ネットワーク
３００          データ処理部
３１０          中継サーバ
３２０          後送サーバ
３３０          データ処理サーバ
３４０          データ記録サーバ
４００          記憶部
【図１】
2010238173.tif 000003
【図２】
2010238173.tif 000004
【図３】
2010238173.tif 000005
【図４】
2010238173.tif 000006
【図５】
2010238173.tif 000007
【図６】
2010238173.tif 000008
【図７】
2010238173.tif 000009